(57)【特許請求の範囲】
【請求項１】
底部と、底部より立設した周壁とを有するラゲッジトレイを備えた収納装置において、左右の前記ラゲッジトレイを車両の荷室に隣接して並べ、前記左右のラゲッジトレイの左右に隣接する前記周壁の高さを対向及び連続する前記周壁より低く形成すると共に、前記左右のラゲッジトレイの前記左右に隣接する周壁の高さを略同一にし、前記左右に隣接する周壁に連続する後側周壁は、前記左右に隣接する周壁に連続する前側周壁より低く、前記左右に隣接する前記周壁の高さは、前記後側周壁より低く、隣接する左右のラゲッジトレイに跨る積載物を収納することができるように構成したことを特徴とする収納装置。
【請求項２】
底部と、底部より立設した周壁とを有するラゲッジトレイを備えた収納装置において、複数の前記ラゲッジトレイを車両の荷室に隣接して並べ、前記複数のラゲッジトレイの左右に隣接する前記周壁の高さを連続する前記周壁より低く形成すると共に、前記複数のラゲッジトレイの前記左右に隣接する周壁の高さを略同一にし、前記左右に隣接する周壁に連続する後側周壁は、前記左右に隣接する周壁に連続する前側周壁より低く、前記左右に隣接する前記周壁の高さは、前記後側周壁より低く、前記隣接する左右のラゲッジトレイに跨る積載物を収納することができるように構成したことを特徴とする収納装置。
【請求項３】
前記荷室に設けられ積載部と脚部とを備えた台座を備え、前記脚部を下側にして前記台座を前記荷室の底面部に配置すると共に、前記底面部と前記積載部との間に前記ラゲッジトレイを収納する収納空間を設けたことを特徴とする請求項１又は２記載の収納装置。
【請求項４】
前記荷室に設けられ積載部と脚部とを備えた台座を備え、前記脚部を上側にして前記台座を前記荷室の底面部に配置し、前記台座に前記ラゲッジトレイを保持する保持部を設けたことを特徴とする請求項１又は２記載の収納装置。
【請求項５】
前記台座を前記複数のラゲッジトレイに対応して分割したことを特徴とする請求項３又は４記載の収納装置。
【請求項６】
前記車両は前記荷室の前部に座席を備え、この座席は前倒し可能な背凭れ部を有すると共に、前記背凭れ部は幅方向に分割され、この分割位置に対応して前記複数のラゲッジトレイが隣接することを特徴とする請求項１〜５のいずれか１項に記載の収納装置。
【発明の詳細な説明】
【技術分野】
【０００１】
本発明は収納装置に関し、特に車両の荷室に設ける収納装置に関する。
【背景技術】
【０００２】
従来、この種の収納装置として、ラゲッジトレイが知られており、このラゲッジトレイは上部が開口した箱体であり、底部と、底部より立設した周壁とから構成されている。また、前記ラゲッジトレイは自動車の貨物室の形状に略一致するように成形されており、内部を仕切る仕切壁を有し、自動車の貨物室へ取り付けることによって貨物室に敷設されているカーペットを覆うことができる（例えば特許文献１）。
【先行技術文献】
【特許文献】
【０００３】
【特許文献１】特許第２８８７５６９号公報
【発明の概要】
【発明が解決しようとする課題】
【０００４】
上記ラゲッジトレイでは、荷物の整理をやり易くするため仕切壁が設けられているが、自動車の貨物室の形状に略一致するように成形されているため、仕切壁の一側のみを使用している場合でも荷室全体をラゲッジトレイが占めることになり、使い勝手に劣る面がある。
【０００５】
また、後部座席の背凭れ部を前倒し可能とし、前倒し状態で背凭れ部の背面と荷室の荷台面とが面一状態となる車両では、その面一状態での使用においてラゲッジトレイが邪魔になる場合、ラゲッジトレイを車内の別の場所に移動する必要があり、不便である。さらに、分割された背凭れ部で、一方を前倒し、一方の背凭れ部の背面と荷室の荷台面とを面一状態で使用する場合でも、同様にラゲッジトレイを貨物室から外さなければならず、使い勝手が悪い。
【０００６】
そこで、本発明は上記した問題点に鑑み、複数のラゲッジトレイを用途に応じて使い分けることができ、利用者の利便性を向上することができる収納装置を提供することを目的とする。
【課題を解決するための手段】
【０００７】
上記目的を達成するために、底部と、底部より立設した周壁とを有するラゲッジトレイを備えた収納装置において、左右の前記ラゲッジトレイを車両の荷室に隣接して並べ、前記左右のラゲッジトレイの左右に隣接する前記周壁の高さを対向及び連続する前記周壁より低く形成すると共に、前記左右のラゲッジトレイの前記左右に隣接する周壁の高さを略同一にし、前記左右に隣接する周壁に連続する後側周壁は、前記左右に隣接する周壁に連続する前側周壁より低く、前記左右に隣接する前記周壁の高さは、前記後側周壁より低く、隣接する左右のラゲッジトレイに跨る積載物を収納することができるように構成したことを特徴とする。
【０００８】
また、請求項２に係る発明は、底部と、底部より立設した周壁とを有するラゲッジトレイを備えた収納装置において、複数の前記ラゲッジトレイを車両の荷室に隣接して並べ、前記複数のラゲッジトレイの左右に隣接する前記周壁の高さを連続する前記周壁より低く形成すると共に、前記複数のラゲッジトレイの前記左右に隣接する周壁の高さを略同一にし、前記左右に隣接する周壁に連続する後側周壁は、前記左右に隣接する周壁に連続する前側周壁より低く、前記左右に隣接する前記周壁の高さは、前記後側周壁より低く、前記隣接する左右のラゲッジトレイに跨る積載物を収納することができるように構成したことを特徴とする。
【０００９】
また、請求項３に係る発明は、前記荷室に設けられ積載部と脚部とを備えた台座を備え、前記脚部を下側にして前記台座を前記荷室の底面部に配置すると共に、前記底面部と前記積載部との間に前記ラゲッジトレイを収納する収納空間を設けたことを特徴とする。
【００１０】
また、請求項４に係る発明は、前記荷室に設けられ積載部と脚部とを備えた台座を備え、前記脚部を上側にして前記台座を前記荷室の底面部に配置し、前記台座に前記ラゲッジトレイを保持する保持部を設けたことを特徴とする。
【００１１】
また、請求項５に係る発明は、前記台座を前記複数のラゲッジトレイに対応して分割したことを特徴とする。
【００１２】
また、請求項６に係る発明は、前記車両は前記荷室の前部に座席を備え、この座席は前倒し可能な背凭れ部を有すると共に、前記背凭れ部は幅方向に分割され、この分割位置に対応して前記複数のラゲッジトレイが隣接することを特徴とする。
【発明の効果】
【００１３】
本発明の請求項１及び２に記載の収納装置によれば、使用するラゲッジトレイを選択して積載物を小分けに収納するなど複数のラゲッジトレイを用途に応じて使い分けることができ、利用者の利便性を向上でき、隣接する左右のラゲッジトレイに跨る積載物を収納することができる。
【００１４】
また、本発明の請求項１及び２に記載の収納装置によれば、ラゲッジトレイを隣接して配置した場合に複数のラゲッジトレイに跨って大型の積載物を容易に乗せることが可能となる。
【００１５】
また、本発明の請求項３に記載の収納装置によれば、荷室を二重構造とし、ラゲッジトレイに収納した積載物を容易に載せることが可能となる。
【００１６】
また、本発明の請求項４に記載の収納装置によれば、ラゲッジトレイを実質的に荷室に保持できるため、複数のラゲッジトレイを確実に保持することができる。
【００１７】
また、本発明の請求項５に記載の収納装置によれば、複数のラゲッジトレイごとに台座を備えることで更に利便性が向上する。
【００１８】
また、本発明の請求項６に記載の収納装置によれば、分割された背凭れ部の一方を前倒し状態とし、対応するラゲッジトレイのみを外すことができる。
【図面の簡単な説明】
【００１９】
【図１】本実施例の実施例１を示す隣接して並べた複数のラゲッジトレイの斜視図である。
【図２】同上、離した状態の複数のラゲッジトレイの斜視図である。
【図３】同上、右のラゲッジトレイの側面図である。
【図４】同上、左のラゲッジトレイの側面図である。
【図５】同上、ラゲッジトレイの後側と脚連結部を示す断面図である。
【図６】同上、使用状態の斜視図である。
【図７】同上、他の使用状態の斜視図である。
【図８】同上、台座の第１の使用状態の断面図である。
【図９】同上、台座の第２の使用状態の断面図である。
【図１０】同上、荷室前側の断面図を示し、図１０（Ａ）は係合段部に積載部の後縁が係合した状態の断面図、図１０（Ｂ）は係合部の下部に脚部が係合した状態の断面図である。
【図１１】同上、使用状態を説明する説明斜視図である。
【図１２】同上、台座へのラゲッジトレイの取り付ける方法を説明する説明斜視図である。
【図１３】同上、台座からラゲッジトレイを取り外す方法を説明する説明斜視図である。
【発明を実施するための形態】
【００２０】
以下、図面を参照して、本発明の収納装置の実施例１について説明する。
【実施例１】
【００２１】
図１〜図１３に示すように、自走式の車両１は後部に荷室２を有し、この荷室２の前には座席３が設けられ、この座席３の背凭れ部４は、左右の背凭れ部４Ｌ，４Ｒに分割され、これら左右の背凭れ部４Ｌ，４Ｒの左右幅はほぼ６対４をなす。尚、以下、前後左右は、車両１の前後左右を基準とする。
【００２２】
前記荷室２には収納装置11が設けられ、この収納装置11は、硬質合成樹脂などからなる左右のラゲッジトレイ12Ｌ，12Ｒを備える。これら左右のラゲッジトレイ12Ｌ，12Ｒの左右幅は前記左右の背凭れ部４Ｌ，４Ｒの左右幅に対応し、荷室２にそれら左右のラゲッジトレイ12Ｌ，12Ｒが左右に並べて配置され、それら左右のラゲッジトレイ12Ｌ，12Ｒの合わせ目が前記左右の背凭れ部４Ｌ，４Ｒの分割箇所に対応する。
【００２３】
それら左右のラゲッジトレイ12Ｌ，12Ｒは、ほぼ方形をなす底部13と、この底部13の周囲に立設した周壁14，15とから構成され、前記周壁14，15は立ち上り部16の上端に水平方向の平坦部17を設け、この平坦部17の外周に下方に垂設した垂設部18が設けられている。
【００２４】
また、前記左のラゲッジトレイ12Ｌの前記周壁14は、前側，左側，後側，右側周壁14Ｆ，14Ｌ，14Ｂ，14Ｒからなり、前記右のラゲッジトレイ12Ｒの前記周壁15は、前側，左側，後側，右側周壁15Ｆ，15Ｌ，15Ｂ，15Ｒからなり、前記左右のラゲッジトレイ12Ｌ，12Ｒは、隣接する右側周壁14Ｒと左側周壁15Ｌの高さを他より低く形成している。尚、右側周壁14Ｒと左側周壁15Ｌは車両１の左右方向中央に位置し、左側周壁14Ｌと右側周壁15Ｒは車両１の左右方向外側に位置する。そして、右側周壁14Ｒは、隣合って連続する前側及び後側周壁14Ｆ，14Ｂより低く、左側周壁15Ｌは、隣合って連続する前側及び後側周壁15Ｆ，15Ｂより低い。
【００２５】
具体的には、左のラゲッジトレイ12Ｌは、車両前後の方向に長い前記底部13の四方に前記前側，左側，後側，右側周壁14Ｆ，14Ｌ，14Ｂ，14Ｒが設けられており、前側周壁14Ｆと左側周壁14Ｌを同一高さに形成し、これら前側周壁14Ｆと左側周壁14Ｌより後側周壁14Ｂを低く形成し、この後側周壁14Ｂより右側周壁14Ｒを低く形成している。また、右側周壁14Ｒの前部には前側に向かって高くなる斜め平坦部21を設け、この斜め平坦部21により右側周壁14Ｒと前側周壁14Ｆを連結し、同様に、右側周壁14Ｒの後部には後側に向かって高くなる斜め平坦部22を設け、この斜め平坦部22により右側周壁14Ｒと前側周壁14Ｆとを連結している。また、左側周壁14Ｌの後部には後側に向かって低くなる斜め平坦部23を設け、この斜め平坦部23により左側周壁14Ｌと後側周壁14Ｂとを連結している。尚、右側周壁14Ｒの後端21Ｔと前端22Ｔは、後側周壁14Ｂと前側周壁14Ｆと同一高さに形成されている。また、左側周壁14Ｌの後端23Ｔと後側周壁14Ｂが同一高さに形成されている。
【００２６】
また、前記右のラゲッジトレイ12Ｒは、車両前後の方向に長い前記底部13の四方に前側，右側，後側，左側周壁15Ｆ，15Ｒ，15Ｂ，15Ｌを設けており、前側周壁15Ｆと右側周壁15Ｒを同一高さに形成し、これら前側周壁15Ｆと右側周壁15Ｒより後側周壁15Ｂを低く形成し、この後側周壁15Ｂより左側周壁15Ｌを低く形成している。また、左側周壁15Ｌの前部には前側に向かって高くなる斜め平坦部31を設け、この斜め平坦部31により左側周壁15Ｌと前側周壁15Ｆを連結し、同様に、左側周壁15Ｌの後部には後側に向かって高くなる斜め平坦部32を設け、この斜め平坦部32により左側周壁15Ｌと前側周壁15Ｆとを連結している。また、右側周壁15Ｒの後部には後側に向かって低くなる斜め平坦部33を設け、この斜め平坦部33により右側周壁15Ｒと後側周壁15Ｌとを連結している。尚、左側周壁15Ｌの後端31Ｔと前端32Ｔは、後側周壁15Ｂと前側周壁15Ｆが同一高さに形成されている。また、右側周壁15Ｒの後端33Ｔと後側周壁15Ｂが同一高さに形成されている。
【００２７】
前記左右のラゲッジトレイ12Ｌ，12Ｒの底部13には、前後方向の突条41が複数形成され、左のラゲッジトレイ12lの突条41，41の間隔と、右のラゲッジトレイ12Ｒの突条41，41の間隔とを等しく設定している。
【００２８】
図５に示すように、前記左右のラゲッジトレイ12Ｌ，12Ｒの前側周壁14Ｆ，15Ｆの立ち上り部16には、その高さ方向中央に上下より傾斜角度の小さい下向き部42を設け、この下向き部42の外面に、保持部たる一方の面ファスナ43を固着している。
【００２９】
また、収納装置11は、左右の台座51Ｌ，51Ｒを備え、これら左右の台座51Ｌ，51Ｒは前記左右のラゲッジトレイ12Ｌ，12Ｒに対応した左右幅を有する。前記左右の台座51Ｌ，51Ｒは、平板状の積載部52と、この積載部52の前後方向一側で左右方向両側に設けられた左右の脚部53，53とを備え、これら左右の脚部53，53の間には、左右方向の脚連結部54が設けられている。そして、前記脚部53，53及び脚連結部54は、積載部52の厚さ方向一側に突設されている。また、前記積載部52は、前記左右のラゲッジトレイ12Ｌ，12Ｒに対応した左右幅と、前記荷室２の底面部５に対応した前後寸法を有する。
【００３０】
前記積載部52の左右方向中央には、開口状をなす取っ手部55が設けられ、この取っ手部55は、前記脚部53から離れて前後方向他側寄りに設けられている。尚、前記取っ手部55は積載部52の両面側から手を掛けて使用可能になっている。また、前記積載部52には前後方向の透孔56が左右に間隔を置いて複数設けられており、その透孔56を通して積載部52の他側が視認可能になっている。
【００３１】
前記脚部53は、板状をなし、突出方向先端縁に、係合凹部57と接地部58とを有し、前記脚部53を下側にして荷室２に配置する場合、前記接地部58が荷室２の底面部５に載置される。また、前記脚連結部54は、縦方向の端面54Ｔと、前記前側周壁14Ｆ，15Ｆの立ち上り部16が係合する係合受け部たる傾斜面54Ｋと備え、この傾斜面54Ｋは、前記前側周壁14Ｆ，15Ｆの立ち上り部16の外面と同一形状をなし、前記傾斜面59に前記一方の面ファスナ43が着脱自在に係止する他方の面ファスナ44が設けられている。また、前記傾斜面59に対応して、前記脚部53には傾斜部53Ｋが設けられている。
【００３２】
また、前記荷室２の底面部５の前方には縦壁部５Ｔが設けられ、この縦壁部５Ｔの上部に、前記台座51Ｌ，51Ｒの脚部53に係合する係合部61を後方に突設し、この係合部61の上部に係合段部62を設けている。
【００３３】
そして、図８に示すように、第１の使用状態として、脚部53を下側に向けると共に後ろにして台座51Ｌ，51Ｒを荷室２に配置すると、積載部52の端部が前記係合段部62に載置され、前記脚部53の接地部58が底面部５に載置される。この第１の使用状態では、前に倒した背凭れ部４Ｌ，４Ｒの背面４Ｈと積載部52の上面がほぼ面一状態となる。また、第１の使用状態で、前記脚部53の縦縁部53Ｔに係合する係合受部たる段差部５Ｄが前記底面部５の後側に設けられている。
【００３４】
一方、図９に示すように、第２の使用状態として、脚部53を上側に向けると共に前にして台座51Ｌ，51Ｒを荷室２に配置すると、前記脚部53の係合凹部57が前記係合部61の下部に係入し、前記積載部52が底面部５に載置される。また、第２の使用状態では、前記積載部52の後縁52Ｔが前記段差部５Ｄに係合する。尚、後縁52Ｔは脚部53と反対側の縁である。
【００３５】
次に、収納装置11の使用方法について、説明する。図８に示した台座51Ｌ，51Ｒの第１の使用状態において、図１１に示すように、取っ手部55に手を掛けて台座51Ｌ，51Ｒの前側を引き上げると、段差部５Ｄに縦縁部53Ｔが係合した状態で該係合箇所をほぼ中心にして、台座51Ｌ，51Ｒを廻すようにして引き上げることができる。この状態で底面部５に、対応するラゲッジトレイ12Ｌ，12Ｒを載置し、これらラゲッジトレイ12Ｌ，12Ｒに積載物（図示せず）を収納し、その上方を台座51Ｌ，51Ｒにより覆うことができる。こうすると前に倒した背凭れ部４Ｌ，４Ｒの背面４Ｈと積載部52とがほぼ面一となり、且つラゲッジトレイ12Ｌ，12Ｒは台座51Ｌ，51Ｒの下方の収納空間に収納された状態となる。尚、台座51Ｌ，51Ｒを荷室２から外してから、底面部５にラゲッジトレイ12Ｌ，12Ｒを載置し、この後、台座51Ｌ，51Ｒを荷室２に配置してもよい。また、ラゲッジトレイ12Ｌ，12Ｒを積載部52，52の上に載置し、底面部５と台座51Ｌ，51Ｒの間を積載物の収納空間として使用し、積載部52，52上のラゲッジトレイ12Ｌ，12Ｒを積載物の収納に使用してもよい。さらに、左右でラゲッジトレイ12Ｌ，12Ｒの収納位置を異なるように使用してもよく、例えば、左のラゲッジトレイ12Ｌを左の積載部52下方の収納空間に収納し、右のラゲッジトレイ12Ｒを右の積載部52上に載置して使用し、このように台座51Ｌ，51Ｒの表裏の向きと、これに対するラゲッジトレイ12Ｌ，12Ｒの位置を組み合わせて使用することができる。
【００３６】
一方、図９に示した台座51Ｌ，51Ｒの第２の使用状態において、対応する台座51Ｌ，51Ｒ上に対応するラゲッジトレイ12Ｌ，12Ｒを載置すると共に隣接する周壁14Ｒ，15Ｌを突き合わせ、この際、台座51Ｌ，51Ｒの傾斜面54Ｋに、前側周壁14Ｆ，15Ｆの立ち上り部16を重ねると共に、面ファスナ43，44同士を係止する。この係止によりラゲッジトレイ12Ｌ，12Ｒが位置固定される。また、図１３に示すように、ラゲッジトレイ12Ｌ，12Ｒの後側周壁14Ｂ，15Ｂを持ち上げると、前側周壁14Ｆ，15Ｆが傾斜面54Ｋに当接した状態で、傾斜面54Ｋから立ち上がり部16が離れ、面ファスナ43，44同士の係止が解除され、台座51Ｌ，51Ｒからラゲッジトレイ12Ｌ，12Ｒを取り外すことができる。
【００３７】
このようにして、複数のラゲッジトレイ12Ｌ，12Ｒの周壁14，15を隣接して荷室２に配置すると、隣接する周壁14Ｒ，15Ｌが他より低く形成されているため、左右のラゲッジトレイ12Ｌ，12Ｒに跨る積載物をそれら左右のラゲッジトレイ12Ｌ，12Ｒ内に収納することができる。
【００３８】
また、左右の台座51Ｌ，51Ｒで使用状態を異なる設定とし、例えば左右の台座51Ｌ，51Ｒの一方を第１の使用状態とし、他方の台座51Ｌ，51Ｒを第２の使用状態とすれば、一方の台座51Ｌ，51Ｒの積載部52，52と対応する背凭れ部４Ｌ，４Ｒの背面４Ｈ，４Ｈとを面一に設定でき、それら積載部52，52と背面４Ｈ，４Ｈに長尺な積載部を載せるなど利用の幅が広がる。
【００３９】
このように本実施例では、請求項１に対応して、底部13と、底部13より立設した周壁14，15とを有するラゲッジトレイ12Ｌ，12Ｒを備えた収納装置11において、複数のラゲッジトレイ12Ｌ，12Ｒを車両１の荷室２に隣接して並べたから、使用するラゲッジトレイ12Ｌ，12Ｒを選択して積載物を小分けに収納するなど複数のラゲッジトレイ12Ｌ，12Ｒを用途に応じて使い分けることができ、利用者の利便性を向上できる。
【００４０】
また、このように本実施例では、請求項１に対応して、左右のラゲッジトレイ12Ｌ，12Ｒの左右に隣接する右側周壁14Ｒ及び左側周壁15Ｌの高さを対向する左側周壁14Ｌ及び右側周壁15Ｒより低く形成すると共に、左右のラゲッジトレイ12Ｌ，12Ｒの左右に隣接する右側周壁14Ｒ及び左側周壁15Ｌの高さを略同一にし、左右に隣接する右側周壁14Ｒ及び左側周壁15Ｌに連続する後側周壁14Ｂ，15Ｂは、左右に隣接する右側周壁14Ｒ及び左側周壁15Ｌに連続する前側周壁14Ｆ，15Ｆより低く、左右に隣接する右側周壁14Ｒ及び左側周壁15Ｌの高さは、後側周壁14Ｂ，15Ｂより低く、隣接する左右のラゲッジトレイ12Ｌ，12Ｒに跨る積載物を収納することができるから、ラゲッジトレイ12Ｌ，12Ｒを隣接して配置した場合に複数のラゲッジトレイ12Ｌ，12Ｒに跨って大型の積載物を容易に乗せることが可能となる。
【００４１】
また、右側周壁14Ｒは、隣合って連続する前側及び後側周壁14Ｆ，14Ｂの少なくとも一方より低く、請求項１では両方より低く、左側周壁15Ｌは、隣合って連続する前側及び後側周壁15Ｆ，15Ｂの少なくとも一方より低く、請求項１では両方より低い。
【００４２】
また、このように本実施例では、請求項２に対応して、複数のラゲッジトレイ12Ｌ，12Ｒの左右に隣接する右側周壁14Ｒ及び左側周壁15Ｌの高さを連続する前側周壁14Ｆ，15Ｆ及び後側周壁14Ｂ，15Ｂより低く形成すると共に、複数のラゲッジトレイ12Ｌ，12Ｒの左右に隣接する右側周壁14Ｒ及び左側周壁15Ｌの高さを略同一にし、左右に隣接する右側周壁14Ｒ及び左側周壁15Ｌに連続する後側周壁14Ｂ，15Ｂは、左右に隣接する右側周壁14Ｒ及び左側周壁15Ｌに連続する前側周壁14Ｆ，15Ｆより低く、左右に隣接する右側周壁14Ｒ及び左側周壁15Ｌの高さは、後側周壁14Ｂ，15Ｂより低く、隣接する左右のラゲッジトレイ12Ｌ，12Ｒに跨る積載物を収納することができるから、ラゲッジトレイ12Ｌ，12Ｒを隣接して配置した場合に複数のラゲッジトレイ12Ｌ，12Ｒに跨って大型の積載物を容易に乗せることが可能となる。
【００４３】
また、このように本実施例では、請求項３に対応して、荷室２に設けられ積載部52と脚部53とを備えた台座51Ｌ，51Ｒを備え、脚部53を下側にして台座51Ｌ，51Ｒを荷室２の底面部５に配置すると共に、底面部５と積載部52との間にラゲッジトレイ12Ｌ，12Ｒを収納する収納空間を設けたから、荷室２を二重構造とし、ラゲッジトレイ12Ｌ，12Ｒに収納した積載物を容易に載せることが可能となる。
【００４４】
また、このように本実施例では、請求項４に対応して、荷室２に設けられ積載部52と脚部53とを備えた台座51Ｌ，51Ｒを備え、脚部53を上側にして台座51Ｌ，51Ｒを荷室２の底面部５に配置すると共に、積載部52を底面部５に載置し、台座51Ｌ，51Ｒにラゲッジトレイ12Ｌ，12Ｒを保持する保持部たる面ファスナ44を設けたから、ラゲッジトレイ12Ｌ，12Ｒを実質的に荷室２に保持できるため、複数のラゲッジトレイ12Ｌ，12Ｒを確実に保持することができる。
【００４５】
また、このように本実施例では、請求項５に対応して、台座51Ｌ，51Ｒを複数のラゲッジトレイ12Ｌ，12Ｒに対応して分割したから、複数のラゲッジトレイ12Ｌ，12Ｒごとに台座51Ｌ，51Ｒを備えることで更に利便性が向上する。
【００４６】
また、このように本実施例では、請求項６に対応して、車両１は荷室２の前部に座席３を備え、この座席３は前倒し可能な背凭れ部４を有すると共に、背凭れ部４は幅方向に分割され、この分割位置に対応して前記複数のラゲッジトレイ12Ｌ，12Ｒが隣接するから、分割された背凭れ部４Ｌ，４Ｒの一方を前倒し状態とし、対応するラゲッジトレイ12Ｌ，12Ｒのみを外すことができる。
【００４７】
また、実施例上の効果として、前記左右のラゲッジトレイ12Ｌ，12Ｒの前側周壁14Ｆ，15Ｆの立ち上り部16には、上下より傾斜角度の小さい下向き部42を設けたから、一方の面ファスナ43と面ファスナ44を係止し易くなる。また、前記積載部52の左右方向中央に取っ手部55を設け、底面部５の段差部５Ｄに係合する縦縁部53Ｔを脚部53に設けたから、第１の使用状態において、台座51Ｌ，51Ｒの取外しを簡便に行うことができる。また、ラゲッジトレイ12Ｌ，12Ｒの後縁52Ｔを持ち上げると、前側周壁14Ｆ，15Ｆの垂設部18の下端が傾斜面54Ｋに当接した状態で、該当接箇所を支点として傾斜面54Ｋから立ち上がり部16が離れるから、面ファスナ43，44同士の係止解除を簡便に行うことができる。さらに、第１の使用状態において、台座51Ｌ，51Ｒに係合する係合段部62と段差部５Ｄとを備えるから、荷室２に台座51Ｌ，51Ｒを前後方向に位置決めできる。また、第２の使用状態において、台座51Ｌ，51Ｒに係合する係合部61と段差部５Ｄとを備えるから、荷室２に台座51Ｌ，51Ｒを前後方向に位置決めでき、また、係合部61の下部に脚部53の係合凹部57が係入するから、脚部53の上方への移動を規制できる。
【００４８】
尚、本発明は、本実施例に限定されるものではなく、本発明の要旨の範囲内で種々の変形実施が可能である。例えば、背凭れ部が３分割された車両においては、分割箇所で隣接する３つのラゲッジトレイを用いてもよく、この場合は、中央のラゲッジトレイの左側及び右側周壁を、隣接する低い周壁14Ｒ，15Ｌと同じ高さにすればよく、前記中央のラゲッジトレイの左側及び右側周壁は、前側周壁より低く形成される。また、背凭れ部が３分割された車両において２つのラゲッジトレイを用いる場合は、いずれかの分割箇所でそれら２つのラゲッジトレイを隣接させればよい。さらに、保持部は、ホックや磁石など係脱可能なものであれば各種のものを用いることができる。
【符号の説明】
【００４９】
１  車両
２  荷室
３  座席
４  背凭れ部
４Ｌ  左の背凭れ部
４Ｒ  右の背凭れ部
４Ｈ  背面
５  底面部
11  収納装置
12Ｌ  左のラゲッジトレイ
12Ｒ  右のラゲッジトレイ
13  底部
14  周壁
14Ｒ  右側周壁（隣接する周壁）
14Ｆ  前側周壁
14Ｂ  後側周壁
15  周壁
15Ｌ  左側周壁（隣接する周壁）
15Ｆ  前側周壁
15Ｂ  後側周壁
43  一方の面ファスナ（保持部）
44  他方の面ファスナ（保持部）
51Ｌ  左の台座
51Ｒ  右の台座
52  積載部
53  脚部
【図１】
0005209671.tif 000002
【図２】
0005209671.tif 000003
【図３】
0005209671.tif 000004
【図４】
0005209671.tif 000005
【図５】
0005209671.tif 000006
【図６】
0005209671.tif 000007
【図７】
0005209671.tif 000008
【図８】
0005209671.tif 000009
【図９】
0005209671.tif 000010
【図１０】
0005209671.tif 000011
【図１１】
0005209671.tif 000012
【図１２】
0005209671.tif 000013
【図１３】
0005209671.tif 000014